(57)【要約】【課題】  コンパクトであって短時間で液体を昇温することができる上、一定の流量で連続的に供給される腐食性液体を一定の温度に加熱できる加熱装置を提供する。【解決手段】  腐食性の液体を加熱する加熱装置であって、ヒータユニット１とヒータユニット１を囲み且つ液体の入口２１と出口２２とを備えた断熱部材２とを有し、ヒータユニット１はＳｉＣまたはＳｉＣを含む複合材料からなるセラミックプレート１２、１３とその内部に気密に設けられた加熱用発熱体１１とを有し、これら入口２１及び出口２２に連通し且つヒータユニット１の周りを少なくとも１回螺旋状に旋回した流路２３が設けられている。【選択図】    図４
2015015081.tif 000002
【特許請求の範囲】
【請求項１】
腐食性の液体を加熱する加熱装置であって、ヒータユニットと前記ヒータユニットを囲み且つ前記液体の入口と出口とを備えた断熱部材とを有し、前記ヒータユニットはＳｉＣまたはＳｉＣを含む複合材料からなるセラミック体とその内部に気密に設けられた加熱用発熱体とを有し、前記入口及び前記出口に連通し且つ前記ヒータユニットの周りを少なくとも１回螺旋状に旋回した流路が設けられている加熱装置。
【請求項２】
前記断熱部材においてセラミック体に接触する側に前記流路の溝が形成されている、請求項１に記載の加熱装置。
【請求項３】
前記断熱部材の周りに補助断熱部材が設けられており、これら断熱部材と補助断熱部材との間に空隙が設けられている、請求項１又は請求項２に記載の加熱装置。
【発明の詳細な説明】
【技術分野】
【０００１】
本発明は、腐食性液体を加熱する加熱装置に関する。
【背景技術】
【０００２】
腐食性液体を所定の温度まで加熱してから利用する操作が様々な化学プロセスで行われている。たとえば、水酸化ナトリウム水溶液や水酸化カリウム水溶液などのアルカリ性の腐食性液体や、硫酸、塩酸、リン酸などの酸性の腐食性液体を加熱してから反応物に添加することにより反応速度を速くすることが行われている。また、金属めっきの前処理工程やエッチング処理工程では、使用する薬液をあらかじめ加熱することにより処理速度を速くすることが行われている。
【０００３】
このような腐食性液体の加熱装置としては、たとえば特許文献１に示すように、フッ素樹脂チューブや石英などの耐食性部材からなる配管の外側にヒータを巻きつけて、配管内を流れる液体を温める装置が用いられている。あるいは、特許文献２に示すように、耐食性に優れた液体容器の周りに加熱ヒータを配して容器全体を温めることで容器内の液体を加熱したり、特許文献３に示すように、液体容器の内側にヒータを入れて容器内の液体を加熱したりする装置が用いられている。
【先行技術文献】
【特許文献】
【０００４】
【特許文献１】特許第３９１１７２３号公報
【特許文献２】特開平０６−０９８８２８号公報
【特許文献３】特開２００５−００５０７５号公報
【発明の概要】
【発明が解決しようとする課題】
【０００５】
しかしながら、特許文献１の技術は、配管材料にフッ素樹脂などの熱伝導率の低い材料を使用しているため、これを補うために加熱部に接している配管の外径を大きくしたり配管の長さを長くしたりすることが必要になり、配管内に流す流量に比べて加熱装置のサイズが大きくなりすぎることが問題になることがあった。また、特許文献２や３の技術では、所定の容量を有する容器に被加熱液体を受け入れてバッチ方式で加熱するものであるため、一度に加熱できる量に制限がある上、一定の温度を有する高温の液体を連続的に製造する場合には適していなかった。また、容器内の液体の温度を均一に保つのも困難であった。
【０００６】
本発明はかかる従来の問題に鑑みてなされたものであり、従来の加熱装置に比べてコンパクトであって短時間で液体を昇温することができる上、一定の流量で連続的に供給される腐食性液体を一定の温度に加熱できる加熱装置を提供する事を目的としている。
【課題を解決するための手段】
【０００７】
上記目的を達成するため、本発明が提供する加熱装置は、腐食性の液体を加熱する加熱装置であって、ヒータユニットと前記ヒータユニットを囲み且つ前記液体の入口と出口とを備えた断熱部材とを有し、前記ヒータユニットはＳｉＣまたはＳｉＣを含む複合材料からなるセラミック体とその内部に気密に設けられた加熱用発熱体とを有し、前記入口及び前記出口に連通し且つ前記ヒータユニットの周りを少なくとも１回螺旋状に旋回した流路が設けられていることを特徴としている。
【発明の効果】
【０００８】
本発明によれば、コンパクトであって短時間で液体を昇温することができる上、一定の流量で連続的に供給される腐食性液体を一定の温度に加熱することが可能になる。
【図面の簡単な説明】
【０００９】
【図１】本発明の実施形態の加熱装置の模式的な斜視図である。
【図２】本発明の加熱装置に含まれるヒータユニットの一具体例の縦断面図である。
【図３】本発明の加熱装置の一具体例の正面図である。
【図４】図３の加熱装置の縦断面図である。
【図５】図３の加熱装置をＶ−Ｖで切断した時の矢視図である。
【図６】図３の加熱装置をＶＩ−ＶＩで切断した時の矢視図である。
【図７】本発明の加熱装置内に設けられた流路の具体例を示す断面図である。
【図８】本発明の加熱装置の他の具体例の縦断面図である。
【発明を実施するための形態】
【００１０】
最初に本発明の実施形態を列記して説明する。本発明の加熱装置は、腐食性の液体を加熱する加熱装置であって、ヒータユニットと前記ヒータユニットを囲み且つ前記液体の入口と出口とを備えた断熱部材とを有し、前記ヒータユニットはＳｉＣまたはＳｉＣを含む複合材料からなるセラミック体とその内部に気密に設けられた加熱用発熱体とを有し、前記入口及び前記出口に連通し且つ前記ヒータユニットの周りを少なくとも１回螺旋状に旋回した流路が設けられている。かかる構成により、加熱装置自体をコンパクトにして短時間で液体の温度を上げることができる上、一定の流量で連続的に供給される腐食性液体を一定の温度に加熱することが可能になる。
【００１１】
上記本発明の加熱装置においては、断熱部材においてセラミックプレートに接触する側に前記流路の溝が形成されているのが好ましい。これにより、簡易に且つ低コストで流路を形成することができる。また、断熱部材の周りに補助断熱部材を設け、これら断熱部材と補助断熱部材との間に空隙を設けてもよい。これにより、より高い断熱性能を得ることが可能になる。
【００１２】
次に、図１を参照しながら本発明の腐食性液体の加熱装置の一具体例について説明する。この図１に示す加熱装置は、一定の流量で連続的に供給される腐食性液体を装置内部に受け入れて加熱する加熱装置であり、腐食性液体に接液した状態で加熱するヒータユニット１と、ヒータユニット１の周りを全面に亘って取り囲む断熱部材２とからなる。ヒータユニット１は、図２に示すように加熱用発熱体１１と、これを両側から挟み込む２枚の板状に形成されたセラミックプレート１２、１３とからなり、加熱用発熱体１１は可撓性の気密部材１４で気密シールされている。
【００１３】
上記した加熱装置を構成する各要素について、より具体的に説明すると、ヒータユニット１に含まれる加熱用発熱体１１は、その形状や構造について特に限定はないが、金属のシースヒータを使用するか、あるいは電気絶縁体シートで被覆された金属抵抗発熱体を使用するのが好ましい。これらは簡便で取り扱いが容易であるからである。金属のシースヒータの場合は、ステンレスなどの金属シースの中に、ニクロム線等の発熱体を挿入し、その隙間に酸化マグネシウムなどの熱伝導性のよい無機絶縁物の高純度粉末を圧密に充填するのが好ましい。
【００１４】
一方、電気絶縁体シートで被覆された金属抵抗発熱体の場合は、金属抵抗発熱体の材質として、ニッケル、ステンレス、銀、タングステン、モリブデン、クロム、またはこれら金属の少なくともいずれかの合金を使用するのが好ましい。これらの中では、ステンレスやニクロムが好ましい。ステンレスやニクロムは、例えば金属箔にエッチングなどの加工を施すことで比較的精度良く抵抗体の回路パターンを形成することができるからである。また、安価な点や、耐酸化性を有するので使用温度が高温であっても長期間の使用に耐え得る点においてもステンレスやニクロムが好ましい。
【００１５】
上記した金属抵抗発熱体を被覆する電気絶縁体シートの材質は、電気絶縁性に加えて耐熱性を有するものが好ましく、このような材質には例えばマイカ、ポリイミド、シリコーン樹脂、エポキシ樹脂、フェノール樹脂などを挙げることができる。これらの内、樹脂を用いる場合は、上記した金属箔からなる金属抵抗発熱体で発生した熱をよりスムースにセラミックプレートに伝え得るようにするため、樹脂中にフィラーを分散させてもよい。樹脂中にフィラーを分散させることによって、シリコーン樹脂等の熱伝導性を高めることができるからである。フィラーの材質としては、樹脂との反応性が無ければ特に制約はなく、たとえば窒化硼素、窒化アルミニウム、アルミナ、シリカなどの物質を使用することができる。
【００１６】
加熱用発熱体１１を挟み込むセラミックプレート１２、１３は、腐食性液体に対する耐食性をもたせるため、ＳｉＣまたはＳｉＣを含むＳｉＳｉＣなどの複合材料で形成されており、その形状には特に制約はないが、製作コストや製作のし易さの観点から図２に示すような２枚の略同形状の平板で構成するのが望ましい。これら２枚の平板のうちの１枚もしくは両方において、互いに対向する側の面に上記した加熱用発熱体１１を収納できる大きさの凹部１５が設けられている。
【００１７】
これら２枚の平板のうちの１枚もしくは両方には、更に凹部１５の全周を取り囲むように環状の溝１６が設けられており、ここに溝１６の深さよりも線太もしくは肉厚のＯリングやガスケットなどの可撓性の気密部材１４が嵌装される。これら装着された加熱用発熱体１１および気密部材１４を挟み込むようにして２枚のセラミックプレート１２、１３を重ね合わせ、図示しないネジ等の締結部材でこれら２枚のセラミックプレート１２、１３を結合することでヒータユニット１が得られる。
【００１８】
この締結部材での結合により、加熱用発熱体１１の回りを取り囲んでいる可撓性の気密部材１４が両セラミックプレート１２、１３によって圧縮されるので、加熱用発熱体１１は外部の腐食性環境に対して気密シールされる。気密部材１４は腐食性液体に接液するので、その材質は耐食性のある例えばバイトン（登録商標）、カルレッツ（登録商標）のほか、ＰＴＦＥ、ＰＦＡなどのフッ素樹脂を使用することになる。
【００１９】
図３〜６に示すように、上記したヒータユニット１の全面を取り囲むように断熱部材２が設けられている。この断熱部材２の形状には特に限定はないが、ヒータユニット１を一回り大きくしたような相似形状であるのが好ましい。これにより全体としてコンパクトな加熱装置を実現することができる。この断熱部材２の両端部に液体が供給される液体流入口２１と、加熱された液体が排出される液体流出口２２とがそれぞれ設けられている。
【００２０】
これら入口２１および出口２２に連通する液体の流路２３が、ヒータユニット１と断熱部材２との間に形成されている。具体的には、腐食性液体に接液した状態で加熱できるように、流路２３はヒータユニット１の表面とこれに対向する断熱部材２の表面とで内壁が画定されている。この流路２３は、ヒータユニット１の表面の周りを螺旋状に少なくとも１回旋回している。これにより、ヒータユニット１の熱を流体に効率よく伝熱することが可能になる。なお、図１にはヒータユニット１の周りを流体がヒータユニット１の長手方向に向かって螺旋状に１回旋回している状態が矢印で模式的に示されており、図４〜６にはヒータユニット１の周りをその長手方向に向かって螺旋状に４回旋回するように形成された流路が示されている。
【００２１】
ヒータユニット１と断熱部材２との間の流路２３は、図７（ａ）に示すようにヒータユニット１の表面に溝を設けることで形成してもよいし、図７（ｂ）に示すように断熱部材２の内面に溝を設けることで形成してもよい。あるいは、図７（ｃ）に示すように両方に溝を設けることで形成してもよい。セラミックに比べて樹脂の方が加工性が良くコストもかなり抑えられるので、樹脂製の断熱部材２を使用する場合は、図７（ｂ）に示すように断熱部材２においてセラミックプレート１に接触する内面側にのみ溝を設けるのが好適である。
【００２２】
上記した流体の入口２１および出口２２を備えた断熱部材２の材質としては、耐食性のあるものであれば特に制約はないが、ＳｉＳｉＣ、ＳｉＣ、Ｓｉ３Ｎ４、石英等のセラミック、あるいはＰＴＦＥ、ＰＦＡ等のフッ素樹脂が好ましい。これらの中ではフッ素樹脂は加工性が良くて溶接もしやすく、且つほとんどの薬液に対して耐食性があるのでより好ましい。断熱部材２は気密を確保するため全て同じ材料で一体成型もしくは互いに溶接されているのが好ましく、この点においてもフッ素樹脂が好ましい。溶接が困難なセラミックの場合は、Ｏリング等の気密部材で気密シールして液体が外に漏れないように接続すると良い。この場合の気密部材の材質としては、耐食性のあるものなら特に制約はなく、バイトン（登録商標）、カルレッツ（登録商標）のほか、ＰＴＦＥ、ＰＦＡなどのフッ素樹脂を用いることができる。
【００２３】
断熱部材２の厚みとしては、良好な断熱性の観点から２ｍｍ以上が好ましく、５ｍｍ以上がより好ましく、１０ｍｍ以上が最も好ましい。このように断熱部材の厚みを厚くすることで加熱装置の外表面温度を低く抑えることができ、エネルギーの節約になる上、加熱装置が周辺環境に及ぼす影響を最小限に抑えることができる。ただし、あまり厚くしすぎると装置自体が嵩張ったり重くなりすぎて取り扱いが困難になる場合がある。
【００２４】
このような制約によって断熱部材２の厚みを厚くできない場合は、図８に示すように、断熱部材２のまわりに補助断熱部材３を設けると共に、断熱部材２と補助断熱部材３との間に空隙３１を設ければよい。断熱部材２と補助断熱部材３との間には円柱状の支持部材３２を適切な場所に設けることにより、補助断熱部材３を支持することができる。これら断熱部材２および補助断熱部材３の最適な厚み配分や空隙の間隔には特に制約はないが、断熱部材２の厚みを２〜５ｍｍ程度、空隙３１の間隔を３〜１５ｍｍ程度、補助断熱部材３の厚みを２〜５ｍｍ程度にすれば装置全体をコンパクトにし、且つ軽量化することができるため好適である。
【００２５】
以上、本発明のヒータについて具体例を挙げて説明したが、本発明は係る具体例に限定されるものではなく、本発明の主旨から逸脱しない範囲の種々の態様で実施可能である。すなわち、本発明の技術的範囲は、特許請求の範囲およびその均等物に及ぶものである。
【実施例】
【００２６】
[実施例１]
図３〜６に示すような加熱装置を作製して流体を加熱する実験を行った。具体的には、縦１５０ｍｍ×横５０ｍｍ×厚み１０ｍｍの矩形平板状のＳｉ１０ＳｉＣ９０製のセラミックプレートを２枚準備した。これら２枚のセラミックプレートのうちの一方の片面略中央部に、後述する加熱用発熱体の収納用の縦１００ｍｍ×横３０ｍｍ×深さ１.０５ｍｍの凹部を設け、更にその凹部の周りを取り囲むように、後述する気密部材の嵌装用の幅２.４ｍｍ×深さ１.８ｍｍの溝を形成した。この溝は、内側の寸法を縦１０５ｍｍ×横３５ｍｍにした。２枚のセラミックプレートのうちの他方には、加熱用発熱体の給電用ケーブルを通すための貫通孔を設けた。
【００２７】
電気絶縁体シートには、縦１００ｍｍ×横３０ｍｍ×厚み０.５ｍｍのシリコーン樹脂（熱伝導率５Ｗ／ｍｍ／Ｋ）を２枚使用した。このシリコーン樹脂には、窒化硼素フィラーを分散させたものを用いた。金属抵抗発熱体には、エッチング加工により回路パターンが形成された、縦９５ｍｍ×横２５ｍｍ×厚み０.０５ｍｍのステンレス箔を用意し、その電極には２本の給電用ケーブルをスポット溶接で取り付けた。このようにして、電気絶縁体シートで被覆された金属抵抗発熱体からなる加熱用発熱体１１を作製した。
【００２８】
気密部材１４として、内寸縦１０５ｍｍ×横３５ｍｍ×太さ２ｍｍのバイトン製のＯリングを用意した。この気密部材１４と上記した加熱用発熱体１１とをセラミックプレートに形成した凹部および溝にそれぞれ嵌装し、これら気密部材１４と加熱用発熱体１１とを挟み込むようにして２枚のセラミックプレートを重ね合わせた。その際、２本の給電用ケーブルは一方のセラミックプレートに設けた貫通孔に気密状態で挿通させてヒータユニット１から外に取り出した。そして、これら２枚のセラミックプレートを、ＰＴＦＥコートした４個のステンレスボルト（Ｍ４長さ２５）とテフロンコートした４個のステンレスナットとで結合した。これらボルトナットによる結合の位置および結合方法は通常の方法で行ったのでその説明は省略する。このようにして、ヒータユニット１を作製した。
【００２９】
次に、断熱部材２として、縦１６５ｍｍ×横６０ｍｍ×高さ３０ｍｍのＰＴＦＥ製の直方体部材を１個準備した。この直方体部材の長手方向の一端部から、横幅５０ｍｍ×高さ２０ｍｍ×奥行き１６１ｍｍの空洞部を加工し、更にこの空洞部の蓋となる、ＰＴＦＥ製の横５０ｍｍ×縦２０ｍｍ×厚み４ｍｍの矩形平板を作製した。そして、この空洞部の内壁に、図４〜６に示すような、長手方向に向かって螺旋状に４回旋回する１本の流路２３を形成した。この螺旋状の流路２３は、幅２５ｍｍ×深さ１ｍｍの１本の溝が、上記空洞部に蓋をした時に形成される空間の長手方向の一端から他端に至るように形成した。これにより、該空間の長手方向の中央部にヒータユニット１の長手方向の中央部が一致するようにヒータユニット１を設置したとき、断熱部材２の長手方向の両端部にそれぞれ形成される入口側空間２４および出口側空間２５に流路２３を連通させることができる。
【００３０】
上記空洞部の突き当たりに該当する壁面の中央部に内径６ｍｍの貫通孔を穿孔し、該空洞部の蓋となる矩形平板の中央部にも内径６ｍｍの貫通孔を穿孔した。そしてこれら貫通孔の各々に、外径８ｍｍ×内径６ｍｍ×長さ２０ｍｍのＰＴＦＥチューブを溶接で接合し、液体流入口２１と液体流出口２２とを形成した。そして、該空洞部に前述のヒータユニット１を挿入し、前述したように中央部同士が一致する位置で固定し、更に溶接により空洞部の入口を上記したＰＴＦＥチューブが溶接された蓋で閉塞した。このようにして、液体流入口２１、入口側空間２４、流路２３、出口側空間２５、および液体流出口２２がこの順に連通してなる１本の流路を備えた加熱装置を完成させた。
【００３１】
この加熱装置の性能確認のため、水を１Ｌ／ｍｉｎで連続的に供給した場合の加熱テストを実施した。具体的には、装置全体の温度が２５℃の状態にある液体用加熱装置の液体流入口２１に、２５℃の水を流量１Ｌ／ｍｉｎで連続的に供給し、この水の供給開始と同時に金属抵抗発熱体に２ｋＷの発熱量になるように給電した。そして、給電を始めてから５秒、１０秒、２０秒、６０秒、１０分、６０分、１２時間、２４時間後の流体流出口２２での水の温度、および加熱装置の表面温度を測定した。その結果を下記表１に示す。
【００３２】
【表１】
2015015081.tif 000003
【００３３】
上記表１から分かるように、給電を始めてから１０秒という極めて短時間で流体流出口２２の温度が５５℃に達し、その後２４時間以上その温度を維持していた。また、加熱装置の表面温度は６０分まではほとんど上がらず、１２時間以上経過してから３６.３℃前後で安定した。
【００３４】
次に、上記の金属抵抗発熱体への給電を停止して装置全体の温度が２５℃になるまで放冷した後、金属抵抗発熱体に２ｋＷに代えて４ｋＷの発熱量になるように電流を流した以外は上記と同様にして水を加熱する実験を行った。その結果を下記表２に示す。
【００３５】
【表２】
2015015081.tif 000004
【００３６】
上記表２から分かるように、電流を流し始めてから２０秒という比較的短時間で流体流出口２２の温度が８５℃に達し、その後２４時間以上その温度を維持していた。また、加熱装置の表面温度は６０分まではあまり上がらず、１２時間以上経過してから６７.４℃前後で安定した。
【００３７】
次に、給電を始めてから２４時間経過した後、加熱装置への水の供給を止めると共に金属抵抗発熱体への給電を停止し、この状態で６０分間放置した。６０分経過後、再び加熱装置に２５℃の水を流量１Ｌ／ｍｉｎで連続的に供給し、同時に金属抵抗発熱体に４ｋＷの電力を給電した。その結果を下記表３に示す。
【００３８】
【表３】
2015015081.tif 000005
【００３９】
上記表３から分かるように、給電を始めてからわずか２秒という短時間で８５℃に安定し、表面温度も約６７.４℃で安定した。上記表２と表３の結果を比較して分かるように、表２の場合において温度が安定するまでに２０秒かかったのは、ヒータユニット単体が熱容量を持っているため、安定する温度に達するまでに時間がかかり、表３の場合は、すでにヒータユニット単体は安定する温度に近かったため、わずか２秒で出口温度が安定したと考えられる。このように、本発明の液体用加熱装置は非常に短時間で目的の温度に加熱することができる。
【００４０】
[実施例２]
図８に示すような補助断熱部材を備えた加熱装置を作製して流体を加熱する実験を行った。ヒータユニット１および加熱部材２には実施例１と同じものを使用した。加熱部材２の周りに設ける補助断熱部材３としては、内寸縦１８５ｍｍ×横８０ｍｍ×高さ５０ｍｍ×厚み２ｍｍのＰＴＦＥ製の中空の直方体形状の箱状体を用意し、更にＰＴＦＥ製の直径５ｍｍ×長さ１０ｍｍの円筒状の支持部材３２を２４個用意した。これら支持部材３２を実施例１で用いた加熱装置の断熱部材２の外壁６面に略均等に４個ずつ配置し、断熱部材２と補助断熱部材３との間に１０ｍｍ離間する空隙を形成した。このようにして、補助断熱部材３を備えた加熱装置を完成させた。
【００４１】
この加熱装置の性能確認のため、水を１Ｌ／ｍｉｎで連続的に供給した場合の加熱テストを実施した。具体的には、全体の温度が２５℃の状態にある液体用加熱装置の液体流入口２１に、２５℃の水を流量１Ｌ／ｍｉｎで連続的に供給し、同時に金属抵抗発熱体に４ｋＷの発熱量になるように給電した。そして、給電を始めてから５秒、１０秒、２０秒、６０秒、１０分、６０分、１２時間、２４時間後の流体流出口２２での水の温度、および補助断熱部材３の表面温度を測定した。その結果を下記表４に示す。
【００４２】
【表４】
2015015081.tif 000006
【００４３】
上記表４から分かるように、給電を始めてから２０秒という比較的短時間で８５℃に達し、その後２４時間以上その温度を維持していた。また、補助断熱部材３の表面温度は６０分までは上がらず、１２時間以上経過してから２６.１℃で安定した。上記表４と実施例１の表２を比べて分かるように、補助断熱部材を使用することで、表面温度の上昇を大幅に抑えることができた。これは、断熱部材と補助断熱部材との間の空隙が空気断熱層として断熱に寄与したためであると考えられる。
【符号の説明】
【００４４】
１        ヒータユニット
２        断熱部材
３        補助断熱部材
１１      加熱用発熱体
１２、１３      セラミックプレート
１４      気密部材
１５      凹部
１６      溝
２１      液体流入口
２２      液体流出口
２３      流路
２４      入口側空間
２５      出口側空間
３１      空隙
３２      支持部材
【図１】
2015015081.tif 000007
【図２】
2015015081.tif 000008
【図３】
2015015081.tif 000009
【図４】
2015015081.tif 000010
【図５】
2015015081.tif 000011
【図６】
2015015081.tif 000012
【図７】
2015015081.tif 000013
【図８】
2015015081.tif 000014